(57)【特許請求の範囲】
【請求項１】
洗濯機から排出された排水を貯留しつつ外部に排出する貯留部を備えた椀と、
前記洗濯機から前記貯留部に向かって前記排水を排出させる流路筒と、
前記流路筒の径方向外方に配設され、前記洗濯機から漏洩した前記排水を前記流路筒との間から前記貯留部に向かって排出する封水筒と、
前記流路筒と前記封水筒との間の領域を開閉する弁部材と、を有し、
前記弁部材は、
前記領域に対して接近離間するように移動して前記領域を開閉自在な開閉部と、
前記開閉部に接続され、前記流路筒から前記椀に排出される前記排水からの水圧によって移動する前記開閉部に従動して変形しつつ、前記開閉部の移動をガイドする変形部と、を備えた排水トラップ。
【請求項２】
前記開閉部は、前記流路筒から前記椀に前記排水を排出させる排出口を備え、
前記変形部は、前記排出口の外周縁に沿って環状に接続され、径方向外方に向かって湾曲してなる請求項１に記載の排水トラップ。
【請求項３】
前記変形部は、前記流路筒の下端部に接続してなる請求項１または２に記載の排水トラップ。
【請求項４】
前記開閉部は、前記封水筒よりも径方向外方に延在し、その外周縁から上方に向かって環状に突出した側壁を備えてなる請求項１〜３のいずれか１項に記載の排水トラップ。
【請求項５】
前記開閉部は、前記洗濯機から排気され前記流路筒から前記椀に排出される空気からの風圧によって移動する請求項１〜４のいずれか１項に記載の排水トラップ。
【請求項６】
前記変形部は、前記開閉部と一体的に成形されてなる請求項１〜５のいずれか１項に記載の排水トラップ。
【請求項７】
前記弁部材は、前記開閉部を下方から支持する支持部を、更に有する請求項１〜６のいずれか１項に記載の排水トラップ。
【請求項８】
請求項１に記載の前記排水トラップに用いる弁部材であって、
前記流路筒と前記封水筒との間の領域を開閉し、
前記領域に対して接近離間するように移動して前記領域を開閉自在な開閉部と、
前記開閉部に接続され、前記流路筒から前記椀に排出される前記排水からの水圧によって移動する前記開閉部に従動して変形しつつ、前記開閉部の移動をガイドする変形部と、を有する弁部材。
【請求項９】
請求項１に記載の前記排水トラップに用いる流路ユニットであって、
前記洗濯機から前記貯留部に向かって前記排水を排出させる流路筒と、
前記流路筒と前記封水筒との間の領域を開閉し、前記領域に対して接近離間するように移動して前記領域を開閉自在な開閉部と、前記開閉部に接続され、前記流路筒から前記椀に排出される前記排水からの水圧によって移動する前記開閉部に従動して変形しつつ、前記開閉部の移動をガイドする変形部と、を備えた弁部材と、を有する流路ユニット。
【発明の詳細な説明】
【技術分野】
【０００１】
本発明は、排水トラップ、弁部材、および流路ユニットに関する。
【背景技術】
【０００２】
従来から、防水パンに取り付けられ、洗濯機から排出される排水を排水管に排出する排水トラップがある。
【０００３】
排水トラップは、排水の原理を図示した図８を参照すると、洗濯機から排出された排水を流路筒から椀の貯留部に排出する第１の流路に加えて、洗濯機や給水設備から防水パンに漏洩した排水を流路筒と封水筒との間から椀の貯留部に排出する第２の流路を備えている。排水トラップは、椀に設けた貯留部によって排水を一時的に貯留しながら下流側の排水管へ排出することによって、流路内の臭気が上流側に到達しないようにしている。すなわち、排水トラップは、排水によって満たされる椀の貯留部を隔てて、その上流側の第１の流路および第２の流路の通気と、その下流側の第３の流路の通気を遮断している。
【０００４】
第１の流路は、排水トラップよりも上流側の流路（例えば洗濯機の排水ホース）を含んでいる。第３の流路は、排水トラップよりも下流側の流路（例えば排水管）を含んでいる。
【０００５】
ところで、洗濯泡を大量に含んだ排水を排出する場合、排水が排水トラップの第１の流路から貯留部を通過した後、その排水トラップに接続された排水管の内部に排水よりも流速の遅い洗濯泡が残留し、その洗濯泡が第３の流路を閉塞してしまうことがある。第３の流路が、多量の排水や洗濯泡を大量に含んだ排水によって閉塞されると、その流路内の圧力が上昇してしまう。このような状態になると、洗濯機から排出された排水は、第１の流路を通過した後、貯留部から内圧が高い状態の第３の流路に排出されずに、貯留部から大気圧の状態の第２の流路に向かって逆流することになる。
【先行技術文献】
【特許文献】
【０００６】
【特許文献１】特開２００６−９７４０８号公報
【発明の概要】
【発明が解決しようとする課題】
【０００７】
特許文献１の構成では、第２の流路を確保するために、封水筒に流路の間隔をあけて嵌挿された封水筒の下方に下端開口部を設ける構成が開示されている。しかしながら、下端開口部を設けると、第３の流路内において洗濯泡による閉塞が発生し、このような状態のまま更に排水が排出された場合、排水トラップ内の気圧が上昇する。この場合、排水管の下流側に向かう方向への排水の流れが抑制されることから、排水が第２の流路を経由して室内側に逆流することがある。
【０００８】
本発明は、上記の課題を解決するためになされたものであり、洗濯機から排出された排水が、洗濯機から漏洩した排水を排出する流路から逆流することを防止できる排水トラップ、弁部材、および流路ユニットの提供を目的とする。
【課題を解決するための手段】
【０００９】
上記目的を達成する本発明に係る排水トラップは、洗濯機から排出された排水を貯留しつつ外部に排出する貯留部を備えた椀と、前記洗濯機から前記貯留部に向かって前記排水を排出させる流路筒と、前記流路筒の径方向外方に配設され、前記洗濯機から漏洩した前記排水を前記流路筒との間から前記貯留部に向かって排出する封水筒と、前記流路筒と前記封水筒との間の領域を開閉する弁部材と、を有し、前記弁部材は、前記領域に対して接近離間するように移動して前記領域を開閉自在な開閉部と、前記開閉部に接続され、前記流路筒から前記椀に排出される前記排水からの水圧によって移動する前記開閉部に従動して変形しつつ、前記開閉部の移動をガイドする変形部と、を備えた。
【００１０】
上記目的を達成する本発明に係る弁部材は、排水トラップに用いるものであって、前記流路筒と前記封水筒との間の領域を開閉し、前記領域に対して接近離間するように移動して前記領域を開閉自在な開閉部と、前記開閉部に接続され、前記流路筒から前記椀に排出される前記排水からの水圧によって移動する前記開閉部に従動して変形しつつ、前記開閉部の移動をガイドする変形部と、を有する。
【００１１】
上記目的を達成する本発明に係る流路ユニットは、前記排水トラップに用いるものであって、前記洗濯機から前記貯留部に向かって前記排水を排出させる流路筒と、前記流路筒と前記封水筒との間の領域を開閉し、前記領域に対して接近離間するように移動して前記領域を開閉自在な開閉部と、前記開閉部に接続され、前記流路筒から前記椀に排出される前記排水からの水圧によって移動する前記開閉部に従動して変形しつつ、前記開閉部の移動をガイドする変形部と、を備えた弁部材と、を有する。
【発明の効果】
【００１２】
上記のように構成した排水トラップ、弁部材、および流路ユニットは、流路筒から椀に向かって排水を排出するときに、流路筒と封水筒との間の領域が弁部材によって閉じられる。したがって、排水トラップ、弁部材、および流路ユニットは、洗濯機から流路筒を通って排出された排水が、流路筒と封水筒との間から逆流することを防止できる。
【図面の簡単な説明】
【００１３】
【図１】実施形態に係る洗濯機から排水される排水を排出する排水トラップの原理を示す模式図である。
【図２】排水トラップを示す断面図である。
【図３】排水トラップの流路筒と弁部材および台座を示す斜視図であって、（Ａ）はそれらの部材を組み立てた状態において示し、（Ｂ）はそれらの部材を分解した状態において示している。
【図４】排水トラップの弁部材を側方から示す断面図である。
【図５】図２の領域５を拡大して排水トラップ内の領域を弁部材によって開閉する状態の要部を側方から示す模式図であって、（Ａ）は弁部材が降下して領域が開いている状態を示し、（Ｂ）は弁部材が上昇して領域が閉じている状態を示している。
【図６】排水トラップの使用状態を示す模式図であって、（Ａ）は洗濯機の洗浄工程または濯ぎ工程において発生した排水が椀の貯留部を経由して排出される状態を示し、（Ｂ）は洗濯機の濯ぎ工程の後の乾燥工程において発生した空気によって貯留部の排水が排出される状態を示し、（Ｃ）は洗濯機の全工程が完了するときに第２の流路に溜っていた排水が貯留部に排出される状態を示している。
【図７】他の実施形態に係る排水トラップを示す断面図である。
【図８】従来の排水トラップにおける排水の原理を示す断面図である。
【発明を実施するための形態】
【００１４】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１５】
（実施形態）
まず、排水トラップ１００の構成について、図１〜図５を参照しながら説明する。
【００１６】
図１は、実施形態に係る洗濯機５００から排水される排水Ｗを排出する排水トラップ１００の原理を示す模式図である。図２は、排水トラップ１００を示す断面図である。図３は、排水トラップ１００の流路筒１０２と弁部材１０４および台座１０６を示す斜視図である。図３（Ａ）は、それらの部材を組み立てた状態において示している。図３（Ｂ）は、それらの部材を分解した状態において示している。図４は、排水トラップ１００の弁部材１０４を側方から示す断面図である。図５は、図２の領域５を拡大して排水トラップ１００内の領域Ｒを弁部材１０４によって開閉する状態の要部を側方から示す模式図である。図５（Ａ）は、弁部材１０４が降下して領域Ｒが開いている状態を示している。図５（Ｂ）は、弁部材１０４が上昇して領域Ｒが閉じている状態を示している。
【００１７】
排水トラップ１００は、概説すれば、図１に示すように、洗濯機５００から排出された排水Ｗを貯留しつつ外部に排出する貯留部１０１ｄを備えた椀１０１と、洗濯機５００から貯留部１０１ｄに向かって排水Ｗを排出させる流路筒１０２と、流路筒１０２の径方向外方に配設され、洗濯機５００から漏洩した排水Ｗを流路筒１０２との間から貯留部１０１ｄに向かって排出する封水筒１０３と、流路筒１０２と封水筒１０３との間の領域Ｒ（図５（Ａ）を参照）を開閉する弁部材１０４と、を有する。弁部材１０４は、領域Ｒに対して接近離間するように移動して領域Ｒを開閉自在な開閉部１０４Ｐと、開閉部１０４Ｐに接続され、流路筒１０２から椀１０１に排出される排水Ｗからの水圧によって移動する開閉部１０４Ｐに従動して変形しつつ、開閉部１０４Ｐの移動をガイドする変形部１０４Ｑと、を備えている。排水トラップ１００は、洗濯機５００を載置した防水パン６００に取り付けられている。
【００１８】
椀１０１は、図２および図５に示している。流路筒１０２および封水筒１０３よりも下流側に配設され、排水Ｗを貯留部１０１ｄから外部に向かって排出する第３の流路Ｌ３を備えている。椀１０１は、排水継手１０８から流路筒１０２に排出する排水Ｗを、一時的に貯留しつつ筐体１０５の排出部１０５ｂに流出させる。椀１０１は、下部が閉塞された円筒形状に形成され、上部の上端１０５ａから流路筒１０２および封水筒１０３等を挿入して収容している。椀１０１は、流路筒１０２を底面１０１ａから離間させた状態で収容している。椀１０１は、側面１０１ｂの上部に複数の開口１０１ｃを備えている。椀１０１に貯留されている排水Ｗは、洗濯機５００からの排水Ｗの排出が進んでその水位が上昇すると、椀１０１の開口１０１ｃから溢れ出して、筐体１０５の排出部１０５ｂに流出する。
【００１９】
椀１０１は、洗濯機５００から排出された排水Ｗを貯留する貯留部１０１ｄを設けている。貯留部１０１ｄは、排水Ｗを一時的に貯留しながら下流側へ排出することによって、第３の流路Ｌ３内の臭気が、第２の流路Ｌ２や第１の流路Ｌ１を逆流して外部に漏れ出ないようにしている。すなわち、排水Ｗによって満たされる貯留部１０１ｄは、その上流側の第１の流路Ｌ１および第２の流路Ｌ２の通気と、その下流側の第３の流路Ｌ３の通気を遮断している。第３の流路Ｌ３は、排水トラップ１００よりも下流側の流路（例えば排水管）を含んでいる。
【００２０】
流路筒１０２は、図２と図３および図５に示している。第１の流路Ｌ１は、排水トラップ１００よりも上流側の流路（例えば洗濯機５００の排水ホース）を含んでいる。流路筒１０２は、排水Ｗを封水筒１０３と椀１０１の間に排出させる。流路筒１０２は、上端部１０２ａおよび下端部１０２ｂを開口した円筒形状に形成され、排水継手１０８から排出する排水Ｗを下方に排出させる。流路筒１０２は、排水継手１０８から排出される排水Ｗを、流路筒１０２の径方向外方に位置する椀１０１に排出させる。流路筒１０２の下端部１０２ｂは、椀１０１の底面１０１ａから離間させた状態で、椀１０１に収容している。流路筒１０２の上端部１０２ａは、排水継手１０８の他端部１０８ｂを挿通させている。
【００２１】
封水筒１０３は、図２および図５に示している。封水筒１０３は、排水管の内部の臭気を遮断するために、流路筒１０２と椀１０１の間の領域を仕切っている。封水筒１０３は、円筒形状に形成されている。封水筒１０３は、流路筒１０２と椀１０１との間に配設されている。封水筒１０３の上部１０３ａは、椀１０１に接している。
【００２２】
弁部材１０４は、図２〜図５に示している。弁部材１０４は、弾性を備えたゴム等からなり、開閉部１０４Ｐと変形部１０４Ｑと側壁１０４Ｓが一体的に成形されている。開閉部１０４Ｐは、径方向の中心に、流路筒１０２からの排水Ｗを下方に排出する排出口１０４ａを備えている。開閉部１０４Ｐは、封水筒１０３よりも径方向外方の縁から上方に向かって環状に突出した側壁１０４ｂを備えている。変形部１０４Ｑは、排出口１０４ａを囲むように開閉部１０４Ｐに接続し、変形し易いように開閉部１０４Ｐの径方向外方に向かって湾曲している。さらに、変形部１０４Ｑの湾曲した部分の上端から上方に向かって環状に突き出た側壁１０４Ｓは、筒状に形成された流路筒１０２の下端部１０２ｂと台座１０６との間に挿入されている。すなわち、弁部材１０４は、変形部１０４Ｑを介して、流路筒１０２に吊り下げられた状態で配設されている。
【００２３】
開閉部１０４Ｐは、図５（Ａ）に示すように、領域Ｒを開く開位置ＯＰに移動したときに、封水筒１０３の下部１０３ｂから離間している。開閉部１０４Ｐは、図５（Ｂ）に示すように、領域Ｒを閉じる閉位置ＣＬに移動したときに、封水筒１０３の下部１０３ｂに接している。
【００２４】
筐体１０５は、図２に示している。筐体１０５は、椀１０１等を収容しつつ、排水Ｗを流路筒１０２に排出させる排水継手１０８を支持する。筐体１０５は、トラップ本体と称され、防水パン６００に取り付けられる。筐体１０５は、下部が閉塞された円筒形状に形成され、上部から椀１０１等を挿入して収容している。筐体１０５は、外周面から側方に向かって円筒形状に突出した形成された排出部１０５ｂを備えている。
【００２５】
台座１０６は、図２と図３および図５に示している。台座１０６は、流路筒１０２を椀１０１の底面１０１ａから離間させた状態にして、第１の流路Ｌ１の閉塞を防止するものである。台座１０６は、筐体１０５に載置されている。台座１０６は、上下方向に沿って円筒形状からなり、周方向に沿って脚部１０６ａを複数備えている。台座１０６は、径方向外方に沿って突出した突出部１０６ｂを、周方向に沿った下端に複数備えている。複数の突出部１０６ｂは、弁部材１０４の開閉部１０４Ｐの開方向の下限抑えとなっている。
【００２６】
目皿１０７は、図２に示している。目皿１０７は、防水パン６００に溜った洗濯水や排水Ｗを、流路筒１０２と封水筒１０３の間に排出する。目皿１０７は、円盤形状に形成され、複数の貫通溝が形成されている。目皿１０７は、貫通溝を介して、洗濯水や排水Ｗ等を流路筒１０２と封水筒１０３の間に排出する。目皿１０７の中央に開口した円形状の貫通孔に、流路筒１０２の上端部１０２ａと排水継手１０８の他端部１０８ｂを挿入している。
【００２７】
排水継手１０８は、図２に示している。排水継手１０８は、洗濯機５００の排水ホースから排出される排水Ｗを流路筒１０２に排出させる。排水継手１０８は、円筒形状であって中央部分をＬ字状に屈曲させて形成している。排水継手１０８の一端部１０８ａは、洗濯機５００の排水ホースを内部に挿入している。排水継手１０８の他端部１０８ｂは、目皿１０７に挿通し、かつ、流路筒１０２の内部に挿入している。
【００２８】
次に、排水トラップ１００の使用状態について、図６を参照しながら説明する。
【００２９】
図６は、排水トラップ１００の使用状態を示す模式図である。図６（Ａ）は、洗濯機５００の洗浄工程または濯ぎ工程において発生した排水Ｗが椀１０１の貯留部１０１ｄを経由して排出される状態を示している。図６（Ｂ）は、洗濯機５００の濯ぎ工程の後の乾燥工程において発生した空気によって貯留部１０１ｄの排水Ｗが排出される状態を示している。図６（Ｃ）は、洗濯機５００の全工程が完了するときに第２の流路Ｌ２に溜っていた排水Ｗが貯留部１０１ｄに排出される状態を示している。
【００３０】
図６（Ａ）に示すように、図示せぬ洗濯機５００の洗浄工程または濯ぎ工程において発生した排水Ｗは、排水トラップ１００の第１の流路Ｌ１から貯留部１０１ｄを経由して第３の流路Ｌ３に向かって排出される。すなわち、排水Ｗは、流路筒１０２から弁部材１０４の排出口１０４ａを通り、椀１０１の下部から封水筒１０３の外側（径方向外方）と椀１０１の内側（径方向内方）の空間を通った後、図示せぬ排水管に排水される。このとき、弁部材１０４の開閉部１０４Ｐは、第１の流路Ｌ１から第３の流路Ｌ３に排出される排水Ｗからの水圧Ｐによって、開位置ＯＰから閉位置ＣＬに移動して領域Ｒを封止する。排水Ｗは、流路筒１０２および弁部材の排出口１０４ａを通過して椀１０１の底面１０１ａに排出されるときに、その水流の方向が変わることから、水圧が高くなる。したがって、弁部材１０４は、排水Ｗが第１の流路Ｌ１から第３の流路Ｌ３に向かって排出されるときに、第２の流路Ｌ２に向かって逆流しようとする排水Ｗを、領域Ｒの部分で封止することができる。
【００３１】
最近のドラム式洗濯機には、脱水工程の後に実施される乾燥工程において熱風（空気Ｂ）を洗濯機５００の排水ホース内に強力に排気するタイプの洗濯機５００がある。
【００３２】
図６（Ｂ）に示すように、上記のような洗濯機５００を用いた場合、排気される空気Ｂからの風圧によって、椀１０１内の封水が排水管に流れ出してしまう。空気を遮断する封水が無くなると、排水管内の臭気が室内側に漏れ出してしまう。流路筒１０２と封水筒１０３の間に貯水された排水Ｗは、排水トラップ１００内に残る。
【００３３】
さらに、図６（Ｃ）に示すように、洗濯機５００の全工程が完了するときに、弁部材１０４の開閉部１０４Ｐは、排水Ｗからの水圧や空気からの風圧を受けないことから、閉位置ＣＬから開位置ＯＰに自然落下するように移動して、領域Ｒを開放する。その結果、流路筒１０２と封水筒１０３の間に貯水された排水Ｗは、貯留部１０１ｄに排出されると共に領域Ｒを遮断することから、臭気が第３の流路Ｌ３から領域Ｒを通って第２の流路Ｌ２の側に向かって室内側に漏れ出ることを防止できる。
【００３４】
上述した実施形態によれば、以下の構成によって作用効果を奏する。
【００３５】
排水トラップ１００は、洗濯機５００から排出された排水Ｗを貯留しつつ外部に排出する貯留部１０１ｄを備えた椀１０１と、洗濯機５００から貯留部１０１ｄに向かって排水Ｗを排出させる流路筒１０２と、流路筒１０２の径方向外方に配設され、洗濯機５００から漏洩した排水Ｗを流路筒１０２との間から貯留部１０１ｄに向かって排出する封水筒１０３と、流路筒１０２と封水筒１０３との間の領域Ｒを開閉する弁部材１０４と、を有し、弁部材１０４は、領域Ｒに対して接近離間するように移動して領域Ｒを開閉自在な開閉部１０４Ｐと、開閉部１０４Ｐに接続され、流路筒１０２から椀１０１に排出される排水Ｗからの水圧によって移動する開閉部１０４Ｐに従動して変形しつつ、開閉部１０４Ｐの移動をガイドする変形部１０４Ｑと、を備えた。
【００３６】
弁部材１０４は、排水トラップ１００に用いるものであって、流路筒１０２と封水筒１０３との間の領域Ｒを開閉し、領域Ｒに対して接近離間するように移動して領域Ｒを開閉自在な開閉部１０４Ｐと、開閉部１０４Ｐに接続され、流路筒１０２から椀１０１に排出される排水Ｗからの水圧によって移動する開閉部１０４Ｐに従動して変形しつつ、開閉部１０４Ｐの移動をガイドする変形部１０４Ｑと、を有する。
【００３７】
流路ユニット１１０は、排水トラップ１００に用いるものであって、洗濯機５００から貯留部１０１ｄに向かって排水Ｗを排出させる流路筒１０２と、流路筒１０２と封水筒１０３との間の領域Ｒを開閉し、領域Ｒに対して接近離間するように移動して領域Ｒを開閉自在な開閉部１０４Ｐと、開閉部１０４Ｐに接続され、流路筒１０２から椀１０１に排出される排水Ｗからの水圧によって移動する開閉部１０４Ｐに従動して変形しつつ、開閉部１０４Ｐの移動をガイドする変形部１０４Ｑと、を備えた弁部材１０４と、を有する。
【００３８】
このように構成した排水トラップ１００、弁部材１０４、および流路ユニット１１０は、流路筒１０２から椀１０１に向かって排水Ｗを排出するときに、流路筒１０２と封水筒１０３との間の領域Ｒが弁部材１０４によって閉じられる。したがって、排水トラップ１００、弁部材１０４、および流路ユニット１１０は、洗濯機５００から流路筒１０２を通って排出された排水Ｗが、流路筒１０２と封水筒１０３との間から逆流することを防止できる。
【００３９】
さらに、開閉部１０４Ｐは、流路筒１０２から椀１０１に排水Ｗを排出させる排出口１０４ａを備え、変形部１０４Ｑは、排出口１０４ａの外周縁に沿って環状に接続され、径方向外方に向かって湾曲してなる。
【００４０】
このような構成によれば、開閉部１０４Ｐの排出口１０４ａによって流路筒１０２を通る排水Ｗの流れを妨げることなく、変形部１０４Ｑを容易に変形させることによって開閉部１０４Ｐを開位置ＯＰから閉位置ＣＬに速やかに移動させることができる。
【００４１】
さらに、変形部１０４Ｑは、流路筒１０２の下端部１０２ｂに接続してなる。
【００４２】
このような構成によれば、弁部材１０４は、特別な固定部材を設けることなく、排水トラップ１００に備えられた流路筒１０２から吊り下げるようにして配設することができる。
【００４３】
また、このような構成によれば、弁部材１０４と流路筒１０２を一体に構成（流路ユニット１１０）することによって、既存の排水トラップの構成部材と交換して使用することができる。
【００４４】
さらに、開閉部１０４Ｐは、封水筒１０３よりも径方向外方に延在し、その外周縁から上方に向かって環状に突出した側壁１０４ｂを備えてなる。
【００４５】
このような構成によれば、側壁１０４ｂの径方向内方に排水Ｗを貯水できることから、開閉部１０４Ｐが開位置ＯＰに位置している場合であっても、貯留部１０１ｄ内の排水Ｗの貯水量に依存することなく排水Ｗが領域Ｒを遮断して、臭気が封水筒１０３から室内側に漏れ出すことを防止できる。
【００４６】
さらに、開閉部１０４Ｐは、洗濯機５００から排気され流路筒１０２から椀１０１に排出される空気Ｂからの風圧によって移動する。
【００４７】
このような構成によれば、流路筒１０２と封水筒１０３の間に貯水している排水Ｗが排出されることを防止できる。この排水Ｗは、椀１０１の中に排出されたあと封水として機能する。すなわち、洗濯機５００の全工程が完了するときに、弁部材１０４の開閉部１０４Ｐは、排水Ｗからの水圧や空気からの風圧を受けないことから、領域Ｒを開放する。その結果、流路筒１０２と封水筒１０３の間に貯水された排水Ｗは、貯留部１０１ｄに排出されると共に領域Ｒを遮断することから、臭気が第３の流路Ｌ３から領域Ｒを通って第２の流路Ｌ２の側に向かって室内側に漏れ出ることを防止できる。
【００４８】
さらに、変形部１０４Ｑは、開閉部１０４Ｐと一体的に成形されてなる。
【００４９】
このような構成によれば、弁部材１０４は、変形部１０４Ｑと開閉部１０４Ｐを別体に成形して互いに接着する場合と比べて、金型を用いた成型等によって廉価に製造することができる。さらに、弁部材１０４は、変形部１０４Ｑと開閉部１０４Ｐを互いに接着した場合と比べて、変形部１０４Ｑと開閉部１０４Ｐの接合状態が強固であることから、経年劣化等に起因した変形部１０４Ｑと開閉部１０４Ｐの接合部分の破断や損傷を抑制することができる。
【００５０】
（他の実施形態）
図７は、他の実施形態に係る排水トラップ２００を示す断面図である。なお、第１実施形態の排水トラップ１００と同一の部材については同一の符号を使用し、その説明を一部省略する。
【００５１】
他の実施形態に係る排水トラップ２００は、弁部材１０４の開閉部１０４Ｐを下方から支持する支持部材２０９を備えた点において、前述した第１実施形態に係る排水トラップ１００と相違する。
【００５２】
排水トラップ２００は、弁部材１０４の開閉部１０４Ｐを下方から支持する支持部材２０９を備えている。支持部材２０９は、排水Ｗからの水圧Ｐや空気Ｂからの風圧によって、弁部材１０４の開閉部１０４Ｐと共に移動しつつ、その開閉部１０４Ｐを支持する。支持部材２０９は、弁部材１０４の下方に接着または接している。支持部材２０９は、弁部材１０４よりも硬質なプラスチックス等からなり、内部に開口２０９ａを備えた円盤状に形成されている。支持部材２０９は、弁部材１０４の排出口１０４ａと同様の形状からなる開口２０９ａを備え、排水Ｗを上方から下方に排出する。支持部材２０９は、排水Ｗからの水圧Ｐが底面２０９ｂに掛かると、上昇する。その結果、支持部材２０９は、開閉部１０４Ｐを上方に移動させる。支持部材２０９は、排水Ｗからの水圧Ｐが弱まったり途絶えたりすると、降下する。その結果、支持部材２０９は、開閉部１０４Ｐを下方に移動させる。
【００５３】
他の実施形態において、支持部材２０９は、弁部材１０４と別体の部材として説明したが、弁部材１０４に接合した構成や、弁部材１０４と一体的に形成した構成としてもよい。
【００５４】
上述した他の実施形態に係る排水トラップ２００によれば、以下の構成によって作用効果を奏する。
【００５５】
排水トラップ２００において、弁部材１０４は、開閉部１０４Ｐを下方から支持する支持部（支持部材２０９）を有する。
【００５６】
このような構成によれば、支持部材２０９によって支持された弁部材１０４は、領域Ｒを十分に封止することができる。
【００５７】
また、このような構成によれば、支持部材２０９は、弁部材１０４が開閉部１０４Ｐと変形部１０４Ｑが一体的に成形されたゴム等からなり全体的に変形し易いような場合に、有益である。開閉部１０４Ｐは定形性を保ちつつ、変形部１０４Ｑは容易に変形させることが望ましいことから、支持部材２０９によって開閉部１０４Ｐの定形性を確保することができる。
【００５８】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【符号の説明】
【００５９】
１００，２００  排水トラップ、
１０１    椀、
１０１ａ  底面、
１０１ｂ  側面、
１０１ｃ  開口、
１０１ｄ  貯留部、
１０２    流路筒、
１０２ａ  上端部、
１０２ｂ  下端部、
１０３    封水筒
１０３ａ  上部、
１０３ｂ  下部、
１０４    弁部材、
１０４Ｐ  開閉部、
１０４Ｑ  変形部、
１０４Ｓ  側壁、
１０４ａ  排出口、
１０４ｂ  側壁、
１０５    筐体、
１０５ａ  上端、
１０５ｂ  排出部、
１０６    台座、
１０６ａ  開口、
１０６ｂ  突出部、
１０７    目皿、
１０８    排水継手、
１０８ａ  一端部、
１０８ｂ  他端部、
１１０    流路ユニット、
２０９    支持部材、
２０９ａ  開口、
２０９ｂ  底面、
５００    洗濯機、
６００    防水パン、
Ｌ１      第１の流路、
Ｌ２      第２の流路、
Ｌ３      第３の流路、
ＯＰ      開位置、
ＣＬ      閉位置、
Ｐ        水圧、
Ｒ        領域、
Ｗ        排水
Ｂ        空気。
【要約】      （修正有）【課題】洗濯機から排出された排水が洗濯機から漏洩した排水を排出する流路から逆流することを防止できる排水トラップを提供する。【解決手段】排水トラップは、洗濯機から排出された排水を貯留しつつ外部に排出する貯留部を備えた椀１０１と、洗濯機から貯留部に向かって排水を排出させる流路筒１０２と、流路筒の径方向外方に配設され、洗濯機から漏洩した排水を流路筒との間から貯留部に向かって排出する封水筒１０３と、流路筒と封水筒との間の領域Ｒを開閉する弁部材１０４と、を有し、弁部材は、領域に対して接近離間するように移動して領域を開閉自在な開閉部１０４Ｐと、開閉部に接続され、流路筒から椀に排出される排水からの水圧によって移動する開閉部に従動して変形しつつ、開閉部の移動をガイドする変形部１０４Ｑと、を備えた。【選択図】図５【図１】
0006007382.tif 000002
【図２】
0006007382.tif 000003
【図３】
0006007382.tif 000004
【図４】
0006007382.tif 000005
【図５】
0006007382.tif 000006
【図６】
0006007382.tif 000007
【図７】
0006007382.tif 000008
【図８】
0006007382.tif 000009